(57)【特許請求の範囲】
【請求項１】
購入者がカードを用いてサービスを受ける少なくとも１の自動販売機と、前記購入者が前記サービスに対する料金の精算を行う精算機とを有するサービス料金精算システムであって、
前記精算機は、前記全ての自動販売機のサービス精算用換算表を備え、
前記購入者は、前記カードを用いて前記自動販売機でサービスを受ける場合、前記自動販売機は第１のサービス情報を前記カードに記録し、
一定期間内毎に前記購入者は、前記精算機を介して課金業者に前記カードに記録されたサービス情報を伝送し、
前記課金業者は、一定期間内毎に前記購入者が受けた前記サービス情報と前記サービス精算用換算表に基づいて前記購入者に課金し、前記サービス提供業者に支払いを行うことを特徴とする料金精算システム。
【請求項２】
前記サービス提供業者または、前記課金業者が前記購入者にカードを発行することを特徴とする請求項１に記載された料金精算システム。
【請求項３】
前記課金業者には、精算業者と、料金徴収業者が含まれることを特徴とする請求項１に記載された料金精算システム。
【請求項４】
前記自動販売機が、前記第１のサービス情報を前記カードに記録する際に、第２のサービス情報が自動販売機に記録されることを特徴とする請求項１に記載された料金精算システム。
【請求項５】
前記第１のサービス情報はサービス番号、サービスの内容、自動販売機のＩＤ、およびサービスの行われた時刻であることを特徴とする請求項４に記載された料金精算システム。
【請求項６】
前記第２のサービス情報はサービス番号、サービスの内容、カードのＩＤ、およびサービスの行われた時刻であることを特徴とする請求項４に記載された料金精算システム。
【請求項７】
前記自動販売機は前記カードに記録された内容を表示することを特徴とする請求項１に記載された料金精算システム。
【請求項８】
前記サービス提供業者は、必要に応じて前記サービス精算換算表を変更することを特徴とする請求項１に記載された料金精算システム。
【請求項９】
前記購入者は、課金業者に前記カードに記載されたサービス情報をオンライン精算機を介して伝送することを特徴とする請求項１に記載された料金精算システム。
【請求項１０】
一定期間内毎に前記購入者が、課金業者に前記カードに記載されたサービス情報を伝送しなかった場合は、前記カードによるサービスが受けられなくなることを特徴とする請求項１に記載された料金精算システム。
【請求項１１】
前記サービス提供業者が前記購入者にカードを発行するときに、担保金を設定することを特徴とする請求項１に記載された料金精算システム。
【請求項１２】
請求項１に記載された料金精算システムに用いられ、自動販売機によるサービスを受ける場合、サービス情報が記録されることを特徴とするサービス情報記録カード。
【請求項１３】
請求項１２に記載されたサービス情報記録カードが用いられる自動販売機。
【請求項１４】
請求項１に記載された料金精算システムに用いられ、精算用換算表が記憶されたデータベース。
【発明の詳細な説明】
【０００１】
【発明の属する技術分野】
本発明は、料金精算システムおよびそれに用いるサービス情報記録カード、自動販売機およびデータベースに関するものである。
【０００２】
【従来の技術】
従来の料金精算システムとしては、現金を回収する必要のないプリペイドカードシステムやバーコードＰＯＳシステムなどがある。プリペイドカードシステムでは、購入者が予め現金でプリペイドカードを購入し、各自動販売機でサービスを受ける毎に、プリペイドカードの残金が減って料金の精算を行なう。バーコードＰＯＳシステムでは、購入者が購入したい複数の商品をまとめてレジなどに持ちこみ、レジにおいて、商品に記載されたバーコードの識別により料金を算出して精算を行なう。ここで、サービスとは、通常のサービスと商品を含むものである。
【０００３】
【発明が解決しようとする課題】
しかしながら、プリペイドカードシステムでは、料金変更に伴い全ての自動販売機のサービス精算用換算表を変更しなくてはならないし、在庫管理のできるバーコードＰＯＳシステムでは、バーコードＰＯＳシステムが商店の中だけでしか利用できず、商品に記載されたバーコードが必要なため、電力、ガス、燃料、掃除等の、無形のサービスには利用できないという問題があった。
【０００４】
本発明は、このような問題に鑑みてなされたもので、その目的とするところは、より広いサービスを行なえ、料金の変更が容易に行なえる料金精算システムおよびそれに用いるサービス情報記録カード、自動販売機およびデータベースを提供することである。
【０００５】
【課題を解決するための手段】
前述した目的を達成するために第１の発明は、購入者がカードを用いてサービスを受ける少なくとも１の自動販売機と、前記購入者が前記サービスに対する料金の精算を行う精算機とを有するサービス料金精算システムであって、前記精算機は、前記全ての自動販売機のサービス精算用換算表を備え、前記購入者は、前記カードを用いて前記自動販売機でサービスを受ける場合、前記自動販売機は第１のサービス情報を前記カードに記録し、一定期間内毎に前記購入者は、前記精算機を介して課金業者に前記カードに記録されたサービス情報を伝送し、前記課金業者は、一定期間内毎に前記購入者が受けた前記サービス情報と前記サービス精算用換算表に基づいて前記購入者に課金し、前記サービス提供業者に支払いを行うことを特徴とする料金精算システムである。
【０００６】
第２の発明は、前述した料金精算システムに用いられ、自動販売機によるサービスを受ける場合、サービス情報が記録されることを特徴とするサービス情報記録カードである。
【０００７】
第３の発明は、前述したサービス情報記録カードが用いられる自動販売機である。
【０００８】
第４の発明は、前述した料金精算システムに用いられ、精算用換算表が記憶されたデータベースである。
【０００９】
【発明の実施の形態】
以下、図面に基づいて本発明の実施の形態を詳細に説明する。図１は、本発明の実施の形態に係るカード１と自動販売機３を示す図である。カード１は予めサービス提供業者５により購入者２に発行される。さらにサービス提供業者が、購入者２にカード１を発行するときに、担保金を設定する、身元確認を行なう、または盗難用の保険をかけるなどの処理を行なう場合もある。ここで、サービスとは、通常のサービスと商品を含むものである。
【００１０】
自動販売機３は表示装置（図示せず）、入力装置（図示せず）、記憶装置（図示せず）などを有する。自動販売機３による各種のサービスを受ける場合、購入者２は、カード１を自動販売機３に挿入し、入力装置から暗証番号、サービスの種類などを入力する。自動販売機３はサービスを提供して、個人サービス情報をカード１や記憶装置に記録し、カード１を購入者２に返却する。
【００１１】
図２は、購入者２と自動販売機３の動作を示すフローチャートである。図２に基づいて購入者２と自動販売機３の処理について説明する。まず自動販売機３による各種のサービスを受ける場合、購入者２は、カード１を自動販売機３に挿入する（ステップ２０１）。自動販売機３はカードが正当なカードであるかのチェックを行ない（ステップ２０２）、正当なカードである場合（ステップ２０３）、購入者２の暗証番号を入力するよう表示装置に表示する。購入者２は、暗証番号を入力装置から入力する（ステップ２０４）。暗証番号が入力された場合（ステップ２０５）、自動販売機３は暗証番号のチェックを行ない（ステップ２０６）、暗証番号が正しい場合（ステップ２０７）、購入者２に希望のサービスを選択するよう表示する。購入者２は希望するサービスを選択する（ステップ２０８）。例えば、自動販売機３に各種たばこの銘柄が表示され、購入者２は希望のたばこを選択する。
【００１２】
自動販売機３は、特定されたサービスを提供し（ステップ２０９）、購入者２はサービスを受ける（ステップ２１０）。自動販売機３は、サービス番号、サービスの内容、自動販売機３のＩＤ、およびサービスの行なわれた時刻などをカードに記録して、表示装置に記録した内容を表示する。購入者２は、表示された内容に誤りがないことを確認する。さらに自動販売機３はサービス番号、サービスの内容、カード１のＩＤ、およびサービスの行なわれた時刻などを自動販売機の記憶部に記憶して、カード１を購入者２に返却する（ステップ２１１）。購入者２はカードを抜き取る（ステップ２１２）。
【００１３】
図３は、本実施の形態に係る一定期間毎に行なわれる精算処理の説明図である。課金業者９は２つの異なるデータベース、即ちサービスの精算情報ベースのデータベース１１と金融機関の金額ベースのデータベース１３を有する。データベース１１はサービス精算用換算表１５などを記憶する。
【００１４】
図４は、サービス精算用換算表１５を示す図である。サービス精算用換算表１５はサービス提供業者５が作成し、データベース１１に記憶されるテーブルで、サービス番号１７、サービス名１９、料金２１などが一組になっている。サービス番号１７は、サービスを識別するための番号である。サービス名１９は、サービスの名称である。料金２１はサービスの料金である。料金１７に変更が生じた場合、または時間帯により別々の料金を設定したい場合などにサービス提供業者５により新しいサービス精算用換算表１５ａがデータベース１１に送信され、旧いサービス精算用換算表１５と差し替えられる。時間帯により別々の料金を設定する場合には、サービス情報に時間帯を含めておいてもよい。この場合、サービス情報に記録された時間が含まれる時間帯の料金を精算する。
【００１５】
図５と図６は、購入者２と課金業者９の間の精算処理（図３のステップ３０１からステップ３０４）における購入者２と課金業者９の処理手順を示すフローチャートである。まず、図３、および図５と図６に基づいて購入者２と課金業者９の間の精算処理における購入者２と課金業者９の処理手順について説明する。一定期間毎（例えば月に１回）に購入者２はカード１をオンライン精算機７に挿入し（ステップ４０１）、購入者２は暗証番号を入力し（ステップ４０２）、暗証番号が正しい場合（ステップ４０３）、精算の指示をすると（ステップ４０４）、カード１に記録されたサービス番号、サービスの内容、自動販売機３のＩＤ、およびサービスの行なわれた時刻が課金業者９のデータベース１１に送信される（ステップ４０５、および図３のステップ３０１）。
【００１６】
データベース１１は、購入者２から送信された個人サービス情報のなかのサービス番号を基にサービス精算用換算表１５を検索して、そのサービスの料金を求めるなどして、請求書を作成し、オンライン精算機７を介して購入者２に送信する（ステップ３０２、および図３のステップ３０２）。
【００１７】
請求書を受け取った購入者２は、課金業者９のデータベース１３に支払いを行なう（ステップ３０３、および図３のステップ３０３）。この場合の支払は、例えば購入者２の銀行口座番号と金額などを入力することである。課金業者９は、購入者２の銀行口座からサービス提供業者５の銀行口座へ指定された金額を振り込む手続きを行なう。課金業者９から購入者２に決裁処理完了通知が送信される（ステップ３０４、および図３のステップ３０４）。
【００１８】
図７と図８は、サービス提供業者５と課金業者９の間の精算処理（図３のステップ３０５からステップ３０７の処理）におけるサービス提供業者５と課金業者９の処理手順を示すフローチャートである。図７と図８に基づいて、サービス提供業者５と課金業者９の間の精算処理におけるサービス提供業者５と課金業者９処理手順を説明する。
【００１９】
ステップ３０１で購入者２から個人サービス情報が送信されると、課金業者９のデータベース１１は、購入者２から送信された情報とサービス精算用換算表１５に基づいてサービス実績表を作成し自動販売機３にサービスを提供しているサービス提供業者５に送信する（ステップ３０５、および図３のステップ３０５）
。
【００２０】
また、ステップ３０３で購入者２から支払が行なわれると課金業者９のデータベース１３は、サービス提供業者５に支払いを行なう（ステップ３０７、および図３のステップ３０７）。サービス提供業者はステップ３０５で送信されたサービス実績表を基にして、金融機関などからの振込みが正しく行なわれたかを確認する。また、サービス実績表をもとに在庫の補充を行い、欠品を防ぐ。
【００２１】
図９は料金１７に変更が生じた場合、時間帯により別々の料金を設定したい場合などにサービス提供業者５により行なわれるサービス精算用換算表１５の変更処理におけるサービス提供業者５の動作を示すフローチャートである。料金１７に変更が生じた場合、時間帯により別々の料金を設定したい場合など、サービス提供業者５はデータベース１１に新しいサービス精算用換算表１５ａを送信する。データベース１１は旧いサービス精算用換算表１５をサービス提供業者５から送信された新しいサービス精算用換算表１５ａで置き替える（ステップ３０６、および図３のステップ３０６）。以後は新しいサービス精算用換算表１５に基づいて精算が行なわれる。
【００２２】
このように本実施の形態によれば、料金変更に伴ってデータベース１１のサービス精算用換算表１５のみを変更するだけで、全ての自動販売機のサービス精算用換算表１５を変更する必要がない。
なお、従来のプリペイドカードでは、何が、どこで、いつ売れれているのかを知ることはできなかったが、本実施の形態では、精算の間隔を短くすることでＰＯＳにも利用できる。また、サービス提供業者は、サービス実績表をもとに在庫の補充を行い、欠品を防ぐ等の、在庫管理を行うことができる。
また、前述した実施の形態では、課金業者９がデータベース１１とデータベース１３とを管理していたが、データベース１１を精算業者が管理し、データベース１３を料金徴収業者が管理するようにしてもよい。
【００２３】
【発明の効果】
以上、詳細に説明したように本発明によれば、より広いサービスを行なえ、料金の変更が容易に行なえる料金精算システムおよびそれに用いるサービス情報記録カード、自動販売機およびデータベースを提供することができる。
【図面の簡単な説明】
【図１】  本発明の実施の形態に係るカード１と自動販売機３を示す図
【図２】  購入者２と自動販売機３の動作を示すフローチャート
【図３】  本実施の形態に係る一定期間毎に行なわれる精算処理の説明図
【図４】  サービス精算用換算表１５を示す図
【図５】  課購入者２と課金業者９の間の精算処理における購入者２と課金業者９の処理手順を示すフローチャート
【図６】  課購入者２と課金業者９の間の精算処理における購入者２と課金業者９の処理手順を示すフローチャート
【図７】  サービス提供業者５と課金業者９の間の精算処理におけるサービス提供業者５と課金業者９の処理手順を示すフローチャート
【図８】  サービス提供業者５と課金業者９の間の精算処理におけるサービス提供業者５と課金業者９の処理手順を示すフローチャート
【図９】  サービス精算用換算表の変更におけるサービス提供業者５の処理手順を示すフローチャート
【符号の説明】
１・・・カード
２・・・購入者
３・・・自動販売機
５・・・サービス提供者
７・・・オンライン精算機
９・・・課金業者
１１、１３・・・データベース
１５・・・サービス精算用換算表
１７・・・サービス番号
１９・・・サービス名
２１・・・料金
【図１】
0003654984.tif 000002
【図２】
0003654984.tif 000003
【図３】
0003654984.tif 000004
【図４】
0003654984.tif 000005
【図５】
0003654984.tif 000006
【図６】
0003654984.tif 000007
【図７】
0003654984.tif 000008
【図８】
0003654984.tif 000009
【図９】
0003654984.tif 000010